(57)【要約】【課題】  各種のスポーツや演技などにおける身体の動かし方を、主としてカメラ付き携帯電話で撮影して得られた画像を、インターネットに接続したデータベースに保存するとともに、保存されている画像をデータベースから取り出して携帯電話のディスプレイに再生表示し、スポーツなどのスキルの向上に役立てるシステムを提供する。【解決手段】  ユーザの携帯電話１で撮影した動画を、インターネットＮを介してシステム管理サーバ２に送信すると、システム管理サーバ２は動画を連続静止画に変換してから画像データベース３に登録する。ユーザの携帯電話１から画像の閲覧要求があると、システム管理サーバ２は、画像データベース３から連続静止画を取り出し携帯電話１に送信し、携帯電話１は、受信した連続静止画を動画に変換してからディスプレイに表示する。【選択図】  図１
2007300317.tif 000002
【特許請求の範囲】
【請求項１】
スポーツや演技における身体の動かし方の画像データを記録保存し、適宜取り出して再生表示するシステムであって、
インターネットを介して接続可能なユーザの携帯電話とシステム管理サーバとを備え、
システム管理サーバは、
画像データを蓄積保存する画像データベースと接続するとともに、前記携帯電話から送信される動画データを受信する動画受信手段と、
受信した動画データを連続静止画データに変換する動画連続静止画変換手段と、
連続静止画データの前記画像データベースへの登録、並びに前記画像データベースからの連続静止画データの検索を行う連続静止画管理手段と、
該連続静止画管理手段によって前記画像データベースから検索し抽出された連続静止画データを前記携帯電話に送信する連続静止画送信手段とを備える一方、
前記携帯電話は、
身体の動かし方を撮影する動画撮影手段と、
撮影した動画データを前記システム管理サーバへ送信する動画送信手段と、
前記システム管理サーバから連続静止画データを受信する連続静止画受信手段と、
受信した連続静止画データを動画データに変換し、この変換後の動画データをディスプレイに表示させる連続静止画動画変換表示手段とを備える
ことを特徴とするスポーツや演技における身体の動かし方の記録画像表示システム。
【請求項２】
前記システム管理サーバは、前記携帯電話に連続静止画データを送信する際に、広告宣伝などの情報を提供するウェブサイトへのリンク情報も送信することを特徴とする請求項１に記載の記録画像表示システム。
【請求項３】
前記連続静止画管理手段は、ユーザの個人情報と連続静止画データとを関連づけて管理するとともに、前記ユーザの個人情報には、ユーザが所属するグループを識別する情報が含まれることを特徴とする請求項１または２のいずれかに記載の記録画像表示システム。
【発明の詳細な説明】
【技術分野】
【０００１】
各種のスポーツや演技などにおける身体の動かし方を、主としてカメラ付き携帯電話で撮影して得られた画像を、インターネットに接続したデータベースに保存するとともに、データベースから保存されている画像を取り出して携帯電話のディスプレイに再生表示する記録画像表示システムに関する。
【背景技術】
【０００２】
ゴルフをはじめとする各種スポーツの技量向上のために、身体の動かし方を撮影し、撮影した画像を電子データとして保存し、適宜パソコンや携帯端末などのディスプレイ上に再生表示することが行われている。
ゴルフプレイヤのフォームをゴルフコースのレイアウトと関連づけて表示させたり、指導者の模範的な演技と被指導者の演技とを同一画面上に並べて表示させたりする方法が提案されている（特許文献１，２）。
【０００３】
【特許文献１】特開２００１−２４６０３７号公報
【特許文献２】特開２００２−２００２０６号公報
【発明の開示】
【発明が解決しようとする課題】
【０００４】
本発明は、動作を撮影するためのビデオカメラなどを設置することなく、最近普及が著しいカメラ付き携帯電話を活用することによって、いつでもどこでも手軽に利用できるシステムを提供することを目的とする。
また、多くの人が携帯電話を日常的に携行していることから、複数人との間で相互に画像の閲覧を可能としたり、システムの運営サイトがユーザに広告を配信したりする、といった付加的機能も持たせ、携帯電話ならでは、のメリットを活用することも目的とする。
【課題を解決するための手段】
【０００５】
上記の目的を達するために、請求項１に記載の画像記録検索システムは、スポーツや演技における身体の動かし方の画像データを記録保存し、適宜取り出して再生表示するシステムであって、インターネットを介して接続可能なユーザの携帯電話とシステム管理サーバとを備え、システム管理サーバは、画像データを蓄積保存する画像データベースと接続するとともに、前記携帯電話から送信される動画データを受信する動画受信手段と、受信した動画データを連続静止画データに変換する動画連続静止画変換手段と、連続静止画データの前記画像データベースへの登録、並びに前記画像データベースからの連続静止画データの検索を行う連続静止画管理手段と、該連続静止画管理手段によって前記画像データベースから検索し抽出された連続静止画データを前記携帯電話に送信する連続静止画送信手段とを備える一方、前記携帯電話は、身体の動かし方を撮影する動画撮影手段と、撮影した動画データを前記システム管理サーバへ送信する動画送信手段と、前記システム管理サーバから連続静止画データを受信する連続静止画受信手段と、受信した連続静止画データを動画データに変換し、この変換後の動画データをディスプレイに表示させる連続静止画動画変換表示手段とを備えることを特徴とする。
【０００６】
これにより、いつでもどこでも身体の動かし方を記録に残しておける。なぜなら、本発明がユーザ側の端末として想定しているカメラ付き携帯電話は、多くの人が常時携行しているので、ゴルフのフォームや、日本舞踊など、屋内屋外を問わず、各種のスポーツ、演技や行為などにおける身体の動かし方を即座に撮影できるからである。
また、最近の携帯電話の多くはカメラ付きのため、ビデオカメラなどの撮影手段を用意する必要がないので、本発明のシステムは低コストで実現できる。
さらに、本発明では、動画データを携帯電話に保存しなくても、インターネットを介して接続可能なデータベースに登録し、必要な都度閲覧するようにしているので、携帯電話のメモリ容量による制約はない。
【０００７】
請求項２に記載の発明は、請求項１に記載の画像記録検索システムにおいて、前記システム管理サーバは、前記携帯電話に連続静止画データを送信する際に、広告宣伝などの情報を提供するウェブサイトへのリンク情報も送信することを特徴とする。
【０００８】
これにより、システム管理者は、広告収入などを得ることが可能であり、サービスを受けるユーザの費用負担を軽減できる。
【０００９】
請求項３に記載の発明は、請求項１または２のいずれかに記載の画像記録検索システムにおいて、前記連続静止画管理手段は、ユーザの個人情報と連続静止画データとを関連づけて管理するとともに、前記ユーザの個人情報には、ユーザが所属するグループを識別する情報が含まれることを特徴とする。
【００１０】
これにより、同一のグループに属するユーザが、仲間のフォームや演技などを各自の携帯電話で閲覧し、批評しあったりして、互いの技術の向上に役立てることができる。
【発明の効果】
【００１１】
普及の著しいカメラ付き携帯電話を活用することで、安価、かつユーザにとって簡単な操作で、スポーツや演技などの技量の向上に資するシステムを提供できる。
【発明を実施するための最良の形態】
【００１２】
図１〜図５に従い、本発明のシステムの実施形態を説明する。
図１に示すシステム構成例では、携帯電話１と、システム管理サーバ２が、インターネットＮを介して接続している。システム管理サーバ２は、画像データベース３と接続している。画像データベース３は、システム管理サーバ２に付随した内蔵ハードディスクなどに格納してもよく、別途データベースサーバに格納してもよい。要は、システム管理サーバ２が、画像データベース３に保存されている画像データを管理できればよい。
なお、図１には、携帯電話１は、１台しかないが、台数に制限はない。
【００１３】
図２を参照しながら、携帯電話１とシステム管理サーバ２の機能を説明する。
携帯電話１は、内蔵のカメラ４によって撮影された映像を動画データとして取り込む動画撮影手段５、インターネットＮを介してシステム管理サーバ２へ撮影された動画を送信する動画送信手段６、システム管理サーバ２からインターネットを介して送信されてくる連続静止画を受信する連続静止画受信手段７、この連続静止画を動画に変換した後、ディスプレイ８に出力表示させる連続静止画動画変換表示手段９を備える。
【００１４】
これらの各手段の機能は、主として動画変換表示プログラムＰ１の実行によって実現される。本実施形態のシステムを利用しようとするユーザは、あらかじめ自己の携帯電話１のメモリに動画変換表示プログラムＰ１をインストールしておく必要がある。このプログラムＰ１の入手方法としては、例えば、システム管理サーバ２が運営するウェブサイトからダウンロードする方法などがある。
【００１５】
他に、携帯電話１は、図示しない入力キーなどの入力手段、メモリも備える。ユーザは、入力手段を操作することにより、システム管理サーバ２への画像データの登録要求、画像データの閲覧要求などを行う。
【００１６】
システム管理サーバ２は、携帯電話１から送信されてくる動画データを受信する動画受信手段１０、受信した動画を連続静止画に変換する動画連続静止画変換手段１１、連続静止画管理手段１２、携帯電話１から閲覧要求された画像を携帯電話１に送信する連続静止画送信手段１３を備える。
以上のシステム管理サーバ２の各手段は、動画変換管理プログラムＰ２の実行によって実現される。ただし、これらの手段の一部または全部は、ハードウェアで実現してもよい。
システム管理サーバ２は、他に、インターネットＮや画像データベース３との通信インタフェースや入力手段、出力手段も備える（いずれも図示しない）。
【００１７】
連続静止画管理手段１２は、動画連続静止画変換手段１１によって変換された連続静止画を画像データベース３に登録する処理、携帯電話１から要求された画像を画像データベース３から検索し抽出する処理、登録されている画像を削除する処理などを行う。
携帯電話１から動画データが送信される際、ユーザの個人情報や該動画データの名称などの情報も送信されてくるので、連続静止画管理手段１２は、これらの情報と画像とを関連付けて管理する。ユーザの個人情報としては、名前、ＩＤ、パスワードなどが考えられる。
【００１８】
図３は、本実施形態のシステムにおける画像データの流れとデータの種類を説明したものである。
携帯電話１からシステム管理サーバ２へは動画データＤ１が送信される。システム管理サーバ２の動画連続静止画変換手段１１によってデータＤ１は連続静止画データＤ２に変換され、画像データベース３には、データＤ２が格納される。連続静止画管理手段１２によってユーザの指定するデータＤ３が取り出され、この連続静止画データＤ３が携帯電話１へ送信される。携帯電話１の連続静止画動画変換表示手段９によってデータＤ３は動画データＤ４に変換され、このデータＤ４が携帯電話１のディスプレイ８に表示される。
【００１９】
続いて、図４と図５の流れ図を参照しながら、本実施形態の作用を説明する。
まず、図４に従い、画像データの登録処理を説明する。
携帯電話１は、入力手段を介した所定の操作により、動画変換表示プログラムＰ１を起動する（ステップＳ１０１）。ディスプレイ８には、システム管理サーバ２との通信のための入力フォーマット画面（図示せず）が表示される。なお、動画変換表示プログラムＰ１は、ＷＷＷベースで動くプログラムであり、入力フォーマット画面は携帯電話１に実装されているウェブページの閲覧ソフトによって表示される。入力フォーマット画面に表示されるメニューから項目を選択するなどの操作によって、プログラムＰ１に実行させようとする処理を選択する。
【００２０】
画像をデータベース３に登録したい場合（ステップＳ１０２で「画像をＤＢに登録」）、動画撮影手段５によりカメラ４で撮影した映像を電子画像データとして取り込む（ステップＳ１０３）。たとえば、ゴルフ場に携帯電話１を携行していったゴルフプレイヤが、自分のフォームを動画として記録しておきたいと考え、プログラムＰ１を起動し、仲間のプレイヤあるいはキャディに携帯電話１を渡して、自分のフォームの撮影を依頼するといった場面が考えられる。撮影された動画データは、動画送信手段６およびインターネットＮを介してシステム管理サーバ２に送信される（ステップＳ１０４）。動画データとともに、ユーザの個人情報や動画データに付された名前などの付帯情報も送信される。
【００２１】
システム管理サーバ２の動画受信手段１０によって受信された動画データは、動画連続静止画変換手段１１により連続静止画に変換される（ステップＳ１０５）。
システム管理サーバ２の連続静止画管理手段１２は、画像データベース３に連続静止画に変換されたデータを登録する（ステップＳ１０６）。連続静止画管理手段１２は、動画データとともに携帯電話１から送信されてきた付帯情報や送信日時と関連づけて、画像データベース３に登録したデータの管理をする。
【００２２】
次に、図５に従い、画像データの閲覧処理を説明する。これは、図４のステップＳ１０２において、「画像を閲覧」が選択された場合の処理である。
携帯電話１の入力手段を介して、閲覧したい画像の名称などが特定され、システム管理サーバ２に閲覧要求が送信される（ステップＳ２０１）。この閲覧要求を受信すると、連続静止画管理手段１２は、特定された画像を画像データベース３から検索し、取り出した連続静止画データを連続静止画送信手段１３とインターネットＮを介して携帯電話１に送信する。携帯電話１の連続静止画受信手段７により連続静止画が受信される（ステップＳ２０２）と、連続静止画動画変換表示手段９は、動画に変換し（ステップＳ２０３）、ディスプレイ８に出力表示させる（ステップＳ２０４）。
【００２３】
ディスプレイ８への表示の仕方は、種々考えられる。例えば、システム管理サーバ２へ閲覧要求をするときに、自分とインストラクタのそれぞれの動作を記録した２つの画像を指定し、得られた２つの画像を左右あるいは上下に並べて表示させてもよい。あるいは、過去数週間分の複数の画像を時系列で表示させてもよい。
また、詳細に検討してみたいという場面で動画表示を停止させたり、動画に変換前の連続静止画の一枚一枚を、時間間隔をあけて表示させたりしてもよい。
さらに、繰り返し見たい画像は、携帯電話１のメモリに記憶させておけば、その都度、システム管理サーバ２に閲覧要求をしなくてもすむ。
【００２４】
本実施形態のシステムは、ユーザ側の端末に画像変換表示プログラムＰ１がインストールされていれば実現可能である。したがって、ユーザ側の端末として、パソコンやＰＤＡなどを排除するものではない。しかし、携帯電話の使用を前提とすると次のようなメリットがある。
【００２５】
携帯電話１は衣服のポケットに収納できるほど小型なので、例えば、ゴルフコースをまわるときでも携行できる。しかも、たいていの場所からインターネットＮに接続できる。
さらに、最近の携帯電話はたいていカメラ付きであるため、携帯電話を携行してさえいれば、動画を撮影することができる。
そのため、ゴルフコースにおいて、自分のフォームを撮影し、その場で画像をチェックしながらプレイできる。また、昼休みや待ち合わせ時間など空いている時間に画像を閲覧し、自分の動作の長短などを検討できる。
【００２６】
携帯電話によるメリットはこのシステムの提供者側にもある。このシステムを運営する目的は、スポーツなどのレッスンの場を提供すること自体にあるだけでなく、顧客への付加価値の提供などを目的とすることも考えられる。例えば、自社のスポーツ用品を購入した顧客のみをこのシステムのサイトにアクセス可能とし、他社との差別化を図ったりする。入力フォーマット画面や閲覧要求をした画像を出力する画面に、自社の広告サイトへのリンクを張り、顧客を広告サイトへ誘導することができる。
【００２７】
前記の実施形態の説明では、ゴルフプレイヤが、自分のフォームを矯正するために、このシステムを利用することを前提としていた。
しかし、身体の動きを伴うあらゆる行為にこのシステムは利用できる。
【００２８】
たとえば、複数の生徒を一人の教師が指導する書道教室を例にとる。全員が携帯電話を携行しているものとする。
教師は、練習中の生徒一人一人の様子（姿勢や腕の動かし方など）を自分の携帯電話で撮影し、生徒の名前とグループ識別番号とを付加して、各生徒の画像をデータベースに登録する。グループ識別番号とは、この書道教室に対してユニークに付けられた番号であって、教師と生徒たち以外は知りえない情報である。
授業の最後などに教師が生徒毎の反省点などを指摘する際、教師および生徒は、自分の携帯電話に、目下講評されている生徒に関する画像を表示させる。グループ識別番号及び講評対象の生徒の名前などを指定して、システム管理サーバに画像閲覧を要求すればよい。
生徒たちは、自分の携帯電話のディスプレイを見ながら、自分あるいは生徒仲間についての教師の講評を聞くわけである。携帯電話があるので、映写装置やスクリーンなどを準備する必要はないので、簡便かつ効率よく指導ができる。
【産業上の利用可能性】
【００２９】
各種スポーツや稽古事などを、インターネットを通じて教授するレッスンサイトの開設をビジネスとすることができる。スポーツ用品メーカが自社の製品を購入した人のためにプロのアドバイスをするといったようなウェブサイトを開設して、販売促進や広告宣伝のための手段とすることもできる。
【図面の簡単な説明】
【００３０】
【図１】本発明の実施の形態に係るシステムのシステム構成図である。
【図２】本発明の実施の形態に係る携帯電話とシステム管理サーバの機能を説明するブロック図である。
【図３】本発明の実施の形態に係る画像データの流れを示す図である。
【図４】画像データをデータベースに登録する処理を示す流れ図である。
【図５】データベースから画像データを取り出し携帯電話のディスプレイに表示する処理を示す流れ図である。
【符号の説明】
【００３１】
１  携帯電話
２  システム管理サーバ
３  画像データベース
４  カメラ
５  動画撮影手段
６  動画送信手段
７  連続静止画受信手段
８  ディスプレイ
９  連続静止画動画変換表示手段
１０  動画受信手段
１１  動画連続静止画変換手段
１２  連続静止画管理手段
１３  連続静止画送信手段
Ｎ  インターネット
【図１】
2007300317.tif 000003
【図２】
2007300317.tif 000004
【図３】
2007300317.tif 000005
【図４】
2007300317.tif 000006
【図５】
2007300317.tif 000007